(57)【特許請求の範囲】
【請求項１】
燻煙剤と接する不燃性容器に、燃焼性の加熱剤が充填され、一部が外部に露出した点火剤が、該加熱剤と接触した着火剤に接している燻煙剤加熱具であって、該着火剤が酸化鉄および／または酸化亜鉛と、珪素および／または珪素鉄と、三硫化アンチモンと、過塩素酸塩とを含有していることによってその発火点を３００〜５５０℃とし、該加熱剤が酸化鉄と、酸化銅と、珪素および／または珪素鉄とを含有していることによってその燃焼熱を２００〜６００ｃａｌ／ｇとすることを特徴とする燻煙剤加熱具。
【請求項２】
該着火剤が、該酸化鉄および／または酸化亜鉛の２０〜７０重量部と、該珪素および／または珪素鉄の２０〜５５重量部と、該三硫化アンチモンの３０〜６０重量部と、該過塩素酸塩の５〜２０重量部とを含有していることを特徴とする請求項１に記載の燻煙剤加熱具。
【請求項３】
該加熱剤が、該酸化鉄の４０〜８０重量部と、該酸化銅の１０〜４０重量部と、該珪素および／または珪素鉄の２０〜５０重量部とを含有していることを特徴とする請求項１に記載の燻煙剤加熱具。
【発明の詳細な説明】
【０００１】
【発明の属する技術分野】
本発明は、燻煙剤を加熱して、それに含まれる病害虫の殺虫成分を気化し霧散させる際に用いられる加熱具に関するものである。
【０００２】
【従来の技術】
家屋や農業ハウスの病害虫を駆除するために燻煙剤が用いられる。燻煙剤は発煙成分と病害虫の殺虫成分とを含有している。駆除の際に燻煙剤を加熱すると、発煙成分が分解して煙を発生し、同時に殺虫成分が気化する。気化した殺虫成分が煙と共に霧散することによって病害虫と接触しその結果、病害虫が駆除される。
【０００３】
燻煙剤の加熱方法として、特公昭５９−４９２０１号公報、特公昭６０−５５４８１号公報には酸化カルシウムに水を加えた時の水和反応熱を利用する方法が開示され、特公平６−７８２０７号公報には化学薬品の混触発火による方法が開示され、特開平９−１７５９７０号公報、特開平１０−２２６６０１号公報には不燃性容器内に収納された加熱剤を燃焼させる加熱具を用いる方法が開示されている。
【０００４】
このうち、酸化カルシウムを用いる方法は広く普及しているが、着火の必要がない反面、酸化カルシウムの水和反応熱量が低いことから燻煙剤を確実かつ十分に加熱して燻煙させるために多量の酸化カルシウムを用いなければならない。この方法のために使用される製品を製造する際、酸化カルシウムの活性を維持するのに防湿管理をしなければならず、さらに水分を透過しない特殊な包装を施さなければならない。そのため製造が煩雑となるうえ製造コストが高い。またこの製品の酸化カルシウムに加える水を正確に計量しないと十分な発熱は得られないので燻煙の効果が十分に発揮されず、また、水を加えてから燻煙剤の燻煙を開始させるための十分な温度に達するまでに長時間を要するなど、燻煙を実施する者の使い勝手からみても問題が多い。
【０００５】
それに対し、不燃性容器に収納された加熱剤を燃焼させる加熱具を用いる方法は、簡便な操作により燻煙を開始させることができる。この加熱具は特殊な包装を必要としないので、酸化カルシウムを用いたものに比べて製造コストが安い。そのためこのような加熱具を用いる方法は従来の技術の中では最も優れている。
【０００６】
しかし、加熱具には加熱剤を確実かつ安全に燃焼させつつ、経時安定性に優れ、安価に製造できるという経済性も満足するという観点から、さらなる改良が望まれていた。
【０００７】
【発明が解決しようとする課題】
本発明は、前記課題を解決するためなされたもので、点火によって確実に穏やかな燃焼が開始して燻煙剤を十分かつ安全に加熱でき、さらに経時安定性の優れた燻煙剤加熱具を提供することを目的としている。
【０００８】
【課題を解決するための手段】
前記の目的を達成するためになされた本発明の燻煙剤加熱具は、実施例に対応する図面により説明すると以下のとおりである。
【０００９】
燻煙剤加熱具１は、図１に示すとおり、燻煙剤２１と接する不燃性容器１７に、燃焼性の加熱剤１６が充填され、一部が外部に露出した点火剤１１が、加熱剤１６と接触した着火剤１３に接している燻煙剤加熱具であって、着火剤１３が酸化鉄および／または酸化亜鉛と、珪素および／または珪素鉄と、三硫化アンチモンと、過塩素酸塩とを含有していることによってその発火点を３００〜５５０℃とし、加熱剤１６が酸化鉄と、酸化銅と、珪素および／または珪素鉄とを含有していることによってその燃焼熱を２００〜６００ｃａｌ／ｇとすることを特徴としている。
【００１０】
この着火剤１３は、点火剤１１への点火により燃焼を開始し、加熱剤１６の燃焼を誘起して燻煙剤２１の加熱を開始させるものである。
【００１１】
着火剤１３は、その発火点が３００℃より低いと製造過程や輸送過程で不慮の発火事故発生の危険性が増大し、それを防止するための安全対策を施す必要があるうえ、活性化エネルギーが低いので経時劣化してしまう。一方５５０℃より高いと、点火剤１１に点火したときの熱量では着火剤１３の燃焼を開始させることができない。発火点は３５０〜５００℃であると一層好ましい。加熱剤１６は、その燃焼熱が２００ｃａｌ／ｇより低いと、その燃焼が中断してしまう結果、十分に燻煙剤を加熱できない。一方６００ｃａｌ／ｇより高いと、急激な発熱により加熱具の破損や燻煙剤の引火を招いてしまう。燃焼熱は３５０〜４５０ｃａｌ／ｇであると一層好ましい。
【００１２】
着火剤１３が、酸化鉄および／または酸化亜鉛の２０〜７０重量部と、珪素および／または珪素鉄の２０〜５５重量部と、三硫化アンチモンの３０〜６０重量部と、過塩素酸塩の５〜２０重量部とを含有していることが好ましい。
【００１３】
着火剤１３に含有される酸化鉄としてはＦｅ２Ｏ３、Ｆｅ３Ｏ４が例示され、これらを併用してもよい。
【００１４】
過塩素酸塩としては、過塩素酸カリウム、過塩素酸ナトリウム、過塩素酸バリウム、過塩素酸マグネシウム等が例示され、これらを併用してもよい。中でも過塩素酸カリウムが好ましい。
【００１５】
着火剤１３は、前記化合物の混合物の粉末を圧搾成形したものであってもよく、混合物を造粒した後に圧搾成形したものであってよい。
【００１６】
着火剤１３には、さらにホウ素、二酸化珪素、アルミナ、ベントナイト、およびケイ酸ナトリウム等が例示される無機化合物である燃焼調整剤が含有されていてもよい。これらを併用してもよい。燃焼調整剤は発熱量を調整する目的で加えられるものであるがさらに圧搾成形等の加工し易くさせるというものである。
【００１７】
着火剤１３は、酸化鉄および／または酸化亜鉛２０〜７０重量部と、珪素および／または珪素鉄２０〜５５重量部と、三硫化アンチモン３０〜６０重量部と、過塩素酸塩５〜２０重量部と、燃焼調整剤２〜２７重量部とを含む組成とすることで好適に実施することができる。燃焼調整剤としてホウ素２〜７重量部、二酸化珪素、アルミナ、ベントナイト、およびケイ酸ナトリウム等が例示される無機物質０〜２０重量部を含む組成とすることで一層好適に実施することができる。着火剤１３はこの範囲内の適切な組成とすることにより、その発火点を３００〜５５０℃にすることができる。
【００１８】
加熱剤１６は自らの燃焼での発熱により、不燃性容器１７を加熱しこれを介して燻煙剤２１を加熱するためのものである。
【００１９】
加熱剤１６は、酸化鉄の４０〜８０重量部と、酸化銅の１０〜４０重量部と、珪素および／または珪素鉄の２０〜５０重量部とを含有していることが好ましい。
【００２０】
加熱剤１６に含有される酸化鉄としてはＦｅ２Ｏ３、Ｆｅ３Ｏ４が例示される。酸化銅としてはＣｕＯが例示される。これらの金属酸化物を併用してもよい。
加熱剤１６は、さらに三硫化アンチモンを含んでいてもよい。
【００２１】
加熱剤１６は、着火剤１３と同様、粉末のまま或いは造粒した後、圧搾成形したものであることが好ましく、燃焼調整剤を含んでいてもよい。
【００２２】
加熱剤１６は、酸化鉄４０〜８０重量部と、酸化銅１０〜４０重量部と、珪素および／または珪素鉄２０〜５０重量部と、燃焼調整剤６〜３５重量部とを含む組成とすることで好適に実施することができる。燃焼調整剤としてホウ素１〜５重量部、二酸化珪素、アルミナ、ベントナイト、およびケイ酸ナトリウム等が例示される無機物質５〜３０重量部を含む組成とすることで一層好適に実施することができる。加熱剤１６はこの範囲内の適切な組成とすることにより、その燃焼熱を２００〜６００ｃａｌ／ｇにすることができる。
【００２３】
点火剤１１は、摩擦熱や火花によって簡便に点火できるマッチ薬が好ましい。
【００２４】
不燃性容器１７は、アルミニウム製または鉄製等の金属プレス成型品であってもよく、アルミナ、シャモット、またはコージライト等からなるセラミック容器であってもよい。安価であって、十分な強度を有し、比熱が大きく適切な温度に制御の有利なセラミック容器であると一層好ましい。
【００２５】
この加熱具１を用いると、長期間保存した後であっても、点火剤１１への点火により着火剤１３は確実に燃焼を開始し、途中で燃焼が停止することなく穏やかに燃焼が完結する。これにより加熱剤１６の燃焼を確実に誘起することができる。加熱剤１６は穏やかに暫時燃焼が持続して進行し、途中で燃焼が停止することなく完結する。これにより不燃性容器１７を介して熱が伝播されて、燻煙剤２１を十分に加熱することができる。すると燻煙剤２１に含まれている発煙成分が分解して煙を発生させ、同時に殺虫成分が気化し煙と共に霧散する。
加熱具１は経時安定性が優れている。
【００２６】
【発明の実施の形態】
以下、本発明の実施例を詳細に説明するが、本発明は以下の記述に限定されるものではない。図１は、本発明を適用する燻煙剤の加熱具１の実施例を示す正面断面図である。
【００２７】
図１に示すとおり、燻煙剤加熱具１は、容器内で点火剤であるマッチ薬１１と着火剤１３とが互いに接し、着火剤１３と加熱剤１６とが互いに接触する構造を有している。燻煙剤加熱具１の容器構造は、先端に点火剤であるマッチ薬１１を付した金具１９と石膏製の底蓋１８とにより両端が閉塞された円筒状の不燃性容器１７に樹脂製の上蓋１４が被されており、上蓋１４の中央部に開いた露出口１２からマッチ薬１１が外部に露出しているものである。
【００２８】
着火剤１３は、酸化鉄および／または酸化亜鉛、珪素および／または珪素鉄、三硫化アンチモン、過塩素酸塩、ホウ素、アルミナを含み、これらの化合物を攪拌混合した粉末状の組成物が用いられている。加熱剤１６は、酸化鉄、酸化銅、珪素および／または珪素鉄、ホウ素、アルミナを含み、着火剤と同様に混合した粉末状の組成物が用いられている。
【００２９】
着火剤１３と加熱剤１６とはいずれも、粉末状の組成物を圧搾成形したものである。
【００３０】
燻煙剤加熱具１は、図２に示すように燻煙装置２に組み込まれて使用される。燻煙装置２は、鉄製またはアルミニウム製の金属缶２２に充填されている殺虫成分等を含んだ燻煙剤２１の一部が燻煙剤加熱具１の不燃性容器１７に接し、加熱具１の貫通した加熱具固定板２３により金属缶２２が略封鎖されたものである。
【００３１】
燻煙剤２１は、有機リン剤、有機塩素剤、カーバメイト剤、ピレスロイド剤が例示される殺虫成分、殺菌成分、または防黴成分を、ニトロセルロースやアゾジカルボンアミドが例示される発煙成分と、香料や無機化合物や有機高分子が例示される添加剤とからなる燻煙基剤に混合し、顆粒状に成型したものである。
【００３２】
固定板２３は、気化した殺虫成分の放出できる多孔２４があき、加熱具１を支持する爪２５がつき、プラスチックフィルムで被われた金属板からなっている。固定板２３と加熱具１の上蓋１４とを覆って、金属製カバー２６が金属缶２２に被されている。カバー２６はその上面の縁近傍に殺虫成分を気化霧散させる複数の噴煙孔２７を有し、上面の真中の窪み中央にあいた露出口２８から加熱具１のマッチ薬１１を露出させている。
【００３３】
病害虫等を駆除する際には、以下のように、燻煙剤加熱具１を動作させて燻煙装置２を使用する。
【００３４】
マッチ薬１１を擦り板で擦って点火する。マッチ薬１１の燃焼熱により、着火剤１３が燃焼を開始する。着火剤１３の燃焼は、マッチ薬１１と接触していた部位から順次広がりながら進行する。着火剤１３が加熱剤１６との境界近傍まで燃焼するに至ると、着火剤１３の燃焼熱により加熱剤１６の燃焼が誘起され加熱剤１６の上端から下端へ向けて燃焼が進行する。加熱剤１６の燃焼熱が不燃性容器１７を加熱する。すると不燃性容器１７の温度が上昇する。
【００３５】
この容器１７を介して燻煙剤２１へ熱が伝播する。その結果、加熱された燻煙剤２１に含まれている発煙成分がこの熱により分解を開始し、煙を発生させる。同時に燻煙剤２１に含まれている殺虫成分が気化する。気化した殺虫成分は煙と共に固定板２３の多孔２４から吹出し、さらにカバー２６の噴煙孔２７から噴出して霧散する。
【００３６】
以下に、本発明を適用する燻煙剤加熱具１を試作した例を実施例１〜５に示す。さらに本発明を適用外の燻煙剤加熱具を試作した例を比較例１〜５に示す。
【００３７】
着火剤または加熱剤として用いられる薬剤は、表１に示す比率で化合物を配合し攪拌混合したものが用いられる。なお、この薬剤の発火点および燃焼熱の特性値も表1に示す。なお発火点は薬剤を加熱したとき４秒以内で火炎を生じる最低温度を発火点とするクルップ式発火点法により測定し、燃焼熱はボンブ式熱量計にて測定したものである。
【００３８】
【表１】
0004623802.tif 000002
【００３９】
（実施例１）
内径７ｍｍ、高さ３０ｍｍ、厚さ１ｍｍの円筒状のセラミック製不燃性容器１７の上端に、円錐の広径部がこの容器１７とほぼ同径で円錐の狭径部の先端にマッチ薬１１の付いた円錐漏斗状の金具１９を載せる。中央に開いた露出口１２からマッチ薬１１の一部が突き出る樹脂製の上蓋１４で容器１７を覆い、一体とする。この一体の上下を引繰返し、先ず表１で薬剤No.1として記載された着火剤１３を容器１７に充填後、圧搾成形する。次いで、同表に薬剤No.5として記載された加熱剤１６を容器１７に充填後、圧搾成形する。さらに石膏を充填して圧搾成形し水で濡らした後、乾燥させると石膏製底蓋１８が容器１７に固設される。再び一体の容器の上下を引繰返して燻煙剤加熱具１を得る。
【００４０】
（実施例２〜５および比較例１〜５）
表１に記載のとおりに配合した薬剤である着火剤および加熱剤を、表２に記載のとおりに用いたことと、不燃性容器は表２に記載のとおり厚さだけが相違するセラミック製のものあるいは外径９ｍｍ、高さ３０ｍｍ、厚さ０．２ｍｍの円筒状のアルミニウム製のものを用いたこと以外は、実施例１と同様にして燻煙剤加熱具を得た。
【００４１】
実施例１〜５および比較例１〜５で得られた１０種類の加熱具の点火剤へ各々点火し、加熱具の動作状況を目視により確認した。その結果を表２に示す。マッチ薬への点火により着火剤の燃焼が開始し、それによって誘起された加熱剤の燃焼が穏やかかつ途中で中断することなく完了したものを良好と示し、それ以外の場合には観察結果を示している。
【００４２】
【表２】
0004623802.tif 000003
【００４３】
表２から明らかなように、実施例１〜５および比較例１の加熱具は、いずれも確実に動作し、点火によって加熱剤の確実に燃焼が開始して、穏やかかつ十分に燃焼が進行した。比較例２〜５の加熱具は、着火剤や加熱剤の燃焼が中断してしまったり燃焼が激しすぎて噴出してしまい、燻煙剤を加熱するには不適当であった。
【００４４】
実施例１〜５および比較例１の加熱具を、各々気温６０℃、相対湿度７５％ＲＨの恒温恒湿槽内で１箇月間保存することにより、常温常湿でおよそ３年間保存したことに相当する保存安定性の加速試験を行った後、同様に加熱具の動作を確認した。その結果を表２に示す。表２から明らかなように、実施例１〜５の加熱具は良好に動作したが、比較例１の加熱具は着火剤の燃焼が途中で中断してしまった。
【００４５】
次に、実施例１〜５および比較例１、２、４、５で得られた９種類の加熱具を用いて燻煙装置を試作した。なお、比較例３の加熱具は動作不良のため燻煙装置の試作に供しなかった。フェノトリンおよびメトキサジアゾンの殺虫成分を、ニトロセルロース、アゾジカルボンアミド、クレー、デンプンを添加して混合し、顆粒状に成形して燻煙剤とし、この燻煙剤の約２５ｇを鉄製の缶２２に詰めた。９種類の加熱具を別々に缶の燻煙剤に挿し、燻煙剤を覆って加熱具を固定する固定板を取り付ける。金属カバー２６を金属缶２２に被せると、９種類の燻煙装置が得られる。
【００４６】
これらの燻煙装置の点火剤へ各々点火し、燻煙装置の動作状況を目視により確認した。その結果を、表２に示す。マッチ薬への点火後３０秒以内に燻煙剤からの発煙が開始され、燻煙の立ち消えや燻煙剤の発火を生じることなく、燻煙が完了したものを良好とし、それ以外の場合は観察結果を示した。
【００４７】
表２から明らかなように、実施例１〜５および比較例１の加熱具を用いた燻煙装置は、いずれも確実に動作し、穏やかかつ十分に燻煙が進行した。比較例２、４、５の加熱具を用いた燻煙装置は、燻煙が開始しなかったり立消えてしまったり、または燻煙剤に引火して発火してしまい、燻煙装置としては不適当であった。
【００４８】
次に、実施例１〜５および比較例１の加熱具を用いた燻煙装置を、気温６０℃相対湿度７５％ＲＨで１箇月間保存した後、同様に燻煙装置の動作を確認した。その結果を表２に示す。表２から明らかなように、実施例１〜５の加熱具を用いた燻煙装置は、いずれも確実に動作し、穏やかかつ十分に燻煙が進行し、長期保存しても品質の劣化は認められなかったが、比較例１の加熱具を用いた燻煙装置は燻煙が開始しなかった。
【００４９】
このように実施例１〜５の燻煙剤加熱具は長期保存後にも安定であって燻煙装置用として適当である。
【００５０】
【発明の効果】
以上、詳細に説明したように本発明の燻煙剤加熱具を用いると、点火剤への点火により着火剤の燃焼が確実に開始され、これにより誘起された加熱剤の穏やかな燃焼が持続し、燻煙剤を十分に加熱することができる。この加熱具は簡便に使用できるうえ、安全性が高く、経時安定性にも優れている。さらに安価に製造することができる。
【図面の簡単な説明】
【図１】本発明を適用する燻煙剤加熱具の実施例を示す正面断面図である。
【図２】本発明を適用する燻煙剤加熱具を組み込んだ、燻煙装置の正面断面図である。
【符号の説明】
１は燻煙剤加熱具、２は燻煙装置、１１はマッチ薬、１２は露出口、１３は着火剤、１４は上蓋、１６は加熱剤、１７は不燃性容器、１８は底蓋、１９は金具、２１は燻煙剤、２２は金属缶、２３は固定板、２４は多孔、２５は支持爪、２６はカバー、２７は噴煙孔、２８は露出口である。
【図１】
0004623802.tif 000004
【図２】
0004623802.tif 000005